【事件の表示】
　特許第３２７０５１７号「カラー画像読取装置」の請求項１に係る特許に対する特許異議の申立てについて、次のとおり決定する。
【結　論】
　訂正を認める。
　特許第３２７０５１７号の請求項１に係る特許を維持する。
【理　由】
１．手続の経緯
　特許第３２７０５１７号の請求項１に係る発明についての出願は、平成４年５月２６日に特許出願され、平成１４年１月１８日にその発明について特許権の設定登録がなされ、その後、その特許について、特許異議申立人秋山滋美より特許異議の申し立てがなされ、取消しの理由が通知され、その指定期間内である平成１５年２月１２日に訂正請求がされた後、訂正拒絶理由が通知され、平成１５年５月６日に手続補正書が提出されたものであり、その後取消の理由が通知され、その指定期間内である平成１５年１１月２６日に訂正請求がなされ、その訂正請求において、請求人は平成１５年２月１２日付の訂正請求書、平成１５年５月６日付の手続補正書は取り下げると述べているので、平成１５年２月１２日付の訂正請求書、平成１５年５月６日付の手続補正書は取り下げられたものとする。
　
２．訂正の適否についての判断
２−１　訂正の内容
　平成１５年１１月２６日付けの訂正請求書において、特許権者が求めている訂正の内容は、以下のとおりである。
（１）訂正事項ａ
　特許請求の範囲の
「【請求項１】　画像光を光電変換する光電変換手段と、
　該光電変換手段からの信号を各色毎に増幅する増幅手段と、
　該増幅手段によって増幅された信号をディジタル信号に変換するＡ／Ｄ変換器と、
　該Ａ／Ｄ変換器の出力に基づいて、前記光電変換手段、前記増幅手段および前記Ａ／Ｄ変換器の入出力特性を各色毎に測定する測定手段と、
　該測定手段の測定結果に基づいて前記Ａ／Ｄ変換器から出力される各色のディジタル信号のトータルゲインが等しくなるように前記増幅手段の増幅率を各色毎に制御する制御手段と
を具えたことを特徴とするカラー画像読取装置。」を、
「【請求項１】画像光を光電変換する光電変換手段と、
　該光電変換手段からの信号を各色毎に増幅する増幅手段と、
　該増幅手段によって増幅された信号をディジタル信号に変換するＡ／Ｄ変換器と、
　
前記増幅手段のディジタルゲイン指令値を最大値から１ずつ小さくしながら各指令値に対応して
される各色のディジタル信号を測定し、該測定値
　該測定手段の測定結果に基づいて前記Ａ／Ｄ変換器から出力される各色のディジタル信号のトータルゲインが等しくなるように前記増幅手段の増幅率を各色毎に制御する制御手段とを具えたことを特徴とするカラー画像読取装置。」
と訂正する。
（２）訂正事項ｂ
　明細書第０００６段落の
「【課題を解決するための手段】
　上記目的を達成するため、本発明においては、画像光を光電変換する光電変換手段と、該光電変換手段からの信号を各色毎に増幅する増幅手段と、該増幅手段によって増幅された信号をディジタル信号に変換するＡ／Ｄ変換器と、該Ａ／Ｄ変換器の出力に基づいて、前記光電変換手段、前記増幅手段および前記Ａ／Ｄ変換器の入出力特性を各色毎に測定する測定手段と、該測定手段の測定結果に基づいて前記Ａ／Ｄ変換器から出力される各色のディジタル信号のトータルゲインが等しくなるように前記増幅手段の増幅率を各色毎に制御する制御手段とを具えたことを特徴とする。」を、
「【課題を解決するための手段】
　上記目的を達成するため、本発明においては、画像光を光電変換する光電変換手段と、該光電変換手段からの信号を各色毎に増幅する増幅手段と、該増幅手段によって増幅された信号をディジタル信号に変換するＡ／Ｄ変換器と、前記増幅手段のディジタルゲイン指令値を最大値から１ずつ小さくしながら各指令値に対応して前記Ａ／Ｄ変換器から出力される各色のディジタル信号を測定し、該測定値に基づいて、前記光電変換手段、前記増幅手段及び前記Ａ／Ｄ変換器の入出力特性を各色毎に求める測定手段と、該測定手段の測定結果に基づいて前記Ａ／Ｄ変換器から出力される各色のディジタル信号のトータルゲインが等しくなるように前記増幅手段の増幅率を各色毎に制御する制御手段とを具えたことを特徴とする。」
と訂正する。
　
２−２　訂正の適否
（１）明細書の記載事項
　上記訂正事項に関連する記載として、願書に添付した明細書（以下、「本件特許明細書」という。）の発明の詳細な説明には、
「【００１１】この構成を用いて、ＣＰＵ１０７からのディジタルゲイン指令値Ｄｂ　，Ｄｇ　，Ｄｒ　の変化とＡ／Ｄ変換器１０６の出力のディジタル画像信号Ｂ′，Ｇ′，Ｒ′の変化との入出力特性を測定する作業を図２に示す。
　【００１２】図示しないハロゲンランプにより標準グレー板１０１を照射して、反射光をＣＣＤ１０２により検出し、アナログ光量信号Ｒ０　，Ｇ０　，Ｂ０　を出力する。この時ＣＰＵ１０７において各色ともゲイン指令値Ｋとして、ゲインを最大値（この場合６ビットとして６３）に設定しておき（Ｓ１）、これに対応したアナログ増幅率Ａｒ　，Ａｇ　，Ａｂでアナログ可変倍率増幅器１０３〜１０５によってＢ０　，Ｇ０　，Ｒ０　を増幅し、Ａ／Ｄ変換器１０６でＡ／Ｄ変換した出力信号をＣＰＵ１０７によってＣＣＤ中心の１２８画素にあたる分だけ平均して、平均明信号Ｗｂ，Ｗｇ　，Ｗｒ　とする（Ｓ２）。次にゲイン指令値はそのままでハロゲンランプをＯＦＦにし、画像信号が「黒」に対応した値になる状態で同じようにＣＣＤ中心１２８画素分のＡ／Ｄ変換器１０６からの出力信号を平均して平均暗信号Ｂｒ　，Ｂｇ　，Ｂｂ　とする（Ｓ３）。
　【００１３】これらの測定値より、Ｒ，Ｇ，Ｂ３色で標準濃度を示す光量が入力され、ディジタルゲイン指令値が６３であった時の各出力値は、
　【００１４】
　【数１】
ＴＢＬＢ［６３］＝Ｗｂ　［６３］−Ｂｂ　［６３］
ＴＢＬＧ［６３］＝Ｗｇ　［６３］−Ｂｇ　［６３］
ＴＢＬＲ［６３］＝Ｗｒ　［６３］−Ｂｒ　［６３］
で表される。この値をＲＡＭ１１６に格納しておく（Ｓ４）。
　【００１５】以上の手順を、ゲイン指令値Ｋに１ずつ小さくして０になるまで繰り返すことにより（Ｓ５，Ｓ６）、ディジタルゲイン−ディジタル出力間の入出力特性を表すテーブルＴＢＬＢ［Ｋ］，ＴＢＬＧ［Ｋ］，ＴＢＬＲ［Ｋ］がそれぞれ作成されることになる。作成されたテーブルの一例を図３に示す。」
と記載されている。
　
（２）判断
　そうすると、請求項１についての訂正事項ａは、特許明細書に記載された事項の範囲内において、「測定手段」を「
前記増幅手段のディジタルゲイン指令値を最大値から１ずつ小さくしながら各指令値に対応して
される各色のディジタル信号を測定し、該測定値
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議申立について
３−１　本件発明
　上記の２．で示したように上記訂正が認められるから、本件の請求項１に係る発明は（以下、「本件発明」という。）は、上記訂正に係る訂正明細書の特許請求の範囲の請求項１に記載された事項により特定されるとおりのものである。（上記２．２−１（１）訂正事項ａ参照）
　
３−２　申立の理由の概要
　異議申立人秋山滋美は、本件請求項１に係る発明についての特許に対して、証拠として甲第１号証（特開平１−１６０１７９号公報）、甲第２号証（特開昭６２−２７７８４８号公報）を提出し、本件請求項１に係る発明の特許は特許法第２９条第１項第３号の規定に違反してなされたものであり、本件請求項１に係る発明についての特許を取り消すべきである旨主張している。
　
３−３　引用刊行物記載の発明
　（刊行物１）
　当審が通知した取消の理由に引用された、本願の出願日前である平成１年６月２３日に頒布された特開平１−１６０１７９号公報（以下、「刊行物１」という。）には、次の事項が記載されている。
（１）「〔技術分野〕
　本発明は、画像をデジタル画像処理する装置、例えば、デジタル・カラー複写機、カラー・イメージ・スキャナ、カラー・プリンタ等に用いられる画像読取装置に関する。」（１頁下左欄１３〜１７行）
（２）「〔従来技術〕
　従来の画像読取装置における処理回路のブロック図を第１６図に示す。
　ハロゲンランプ１４にて露光された原稿又は補正エリア６８の白基準板の反射光はレンズ１５を通り、赤、緑、青のフィルタが配置された複数の受光素子からなるＣＣＤ１６上に結像する。ＣＣＤ１６により光電変換された画像情報は赤→緑→青のようなシリアルなアナログ電気信号となり、増幅器２００ｂにより増幅されたのち、画像信号のノイズ成分を除去するためのローパスフィルタ２００ｃに入力される。
　この画像信号はタイミング制御部２００ａからのタイミング信号によりＳ／Ｈ回路２００ｄ，２００ｅ，２００ｆで赤、緑、青の各色の画像信号に分離される。増幅器２００ｇ，２００ｈ，２００ｉは各色（赤、緑、青）の画像信号の振幅が等しくなるように増幅する。
　コンデンサ２００ｊ，２００ｋ，２００ｌ及びスイッチ２００ｍ，２００ｎ，２００ｏは画像信号のダーククランプをタイミング制御部２００ａからのタイミング信号で行う。
　ダーククランプによって直流再生された画像信号はバッファアンプ２００ｐ，２００ｑ，２００ｒを通り、Ａ／Ｄコンバータ２００ｓ，２００ｔ，２００ｕ（原文では「Ａ／Ｄコンバータ２００ｗ，２００ｘ，２００ｙ」と誤記。）によりアナログ／デジタル変換が行われ、次段のラッチ２００ｗ，２００ｘ，２００ｙにセットされる。ラッチ２００ｗ，２００ｘ，２００ｙはタイミング制御部２００ａからのタイミング信号によりシリアル多値（各色８ビット）な画像信号として色別に入力画像処理部に出力する。
　ところが、上述したような従来の装置においては、原稿及び補正エリアを照射するハロゲンランプ１４などの光源の特性変化及び温度変化によるＣＣＤ１６の出力信号レベルの変化などに対しては、後段の入力画像処理部１０１でのシェーディング補正によって補正を行っていたが、このデジタル信号処理による補正はその変化が大きい程量子化誤差が大きくなるという欠点があった。」（１頁下左欄１８行〜２頁上左欄１２行）
（３）「〔発明の目的〕
　本発明は上記従来の問題を解決するもので、光源の経時変化及び温度変化に対する画像信号の変化を量子化誤差なしに補正することにより良質な画像読取装置を提供することにある。」（２頁上左欄１３〜１７行）
（４）「　第１０図は、第９図示のアナログ信号処理部１００を詳細に説明するための図である。
　レンズ１５を通った像は、ＣＣＤ１６により光電変換が行われる。画像情報は赤→緑→青のようなシリアルなアナログ電気信号となり、増幅器１００ｂにより増幅された後、画像信号のノイズ成分を除去するためのローパスフィルタ１００ｃに入力される。この画像信号はタイミング制御部１００ａからのタイミング信号により、Ｓ／Ｈ回路１００ｄ，１００ｅ，１００ｆで赤、緑、青各色の画像信号に分離される。
　可変増幅器１００ｇ，１００ｈ，１００ｉは電圧制御の増幅器であり、Ｄ／Ａ変換器１００ｚ（原文では「Ａ／Ｄ変換器１００ｚ」と誤記。）の出力電圧によりその増幅率が制御される。上記各色に分離された画像信号は制御部１０２からの信号によりＤ／Ａ変換器１００ｚを介し可変増幅器によって増幅される。
　コンデンサ１００ｊ，１００ｋ，１００ｌ及びスイッチ１００ｍ，１００ｎ，１００ｏは画像信号のダーククランプをタイミング制御部１００ａからのタイミング信号により行う。ダーククランプレベルは制御部１０２からの信号により、Ｄ／Ａ変換器１００ｚを介して設定することが可能である。
　ダーククランプにより直流再生された画像信号は、バッファアンプ１００ｐ，１００ｑ，１００ｒを通り、Ａ／Ｄコンバータ１００ｓ，１００ｔ，１００ｕ（原文では「Ａ／Ｄコンバータ１００ｗ，１００ｘ，１００ｙ」と誤記。）によりアナログ／デジタル変換が行われ、次段のラッチ１００ｗ，１００ｘ，１００ｙにセットされる。ラッチ１００ｗ，１００ｘ，１００ｙはタイミング制御部１００ａからのタイミング信号によりシリアル多値（各色８ｂｉｔ）として各色のデジタル画像信号を入力画像処理部１０１に出力する。
　本実施例では、原稿を読取る前にまず補正エリア６８の白基準板の濃度を複写しようとする原稿の最も濃度が小さい値（例えば０．１）とし、この白基準板を読み取った時のバッファアンプ１００ｐ，１００ｑ，１００ｒの出力がＡ／Ｄ変換器１００ｓ，１００ｔ，１００ｕの最大入力レベル（基準電圧源１００ｖの出力電圧）となるように可変増幅器１００ｇ，１００ｈ，１００ｉの増幅率を可変設定する。
　第９図、第１０図、第１１図を用いて説明すると、アナログ信号処理部１００の出力（ラッチ１００ｗ，１００ｘ，１００ｙの出力）すなわち、入力画像処理部１０１のデジタル入力画像信号が第１１図の（イ）の様に、Ａ／Ｄ変換器の最大入力レベル（Ｆ／Ｆ）を下まわっている場合、制御部１０２はアナログ信号処理部１００へ制御信号を送ることにより、第１０図のタイミング制御部１００ａはＤ／Ａ変換器１００ｚを介し、可変増幅器１００ｇ，１００ｈ，１００ｉの増幅率を大きくし、ラッチ１００ｗ，１００ｘ，１００ｙの出力が第１１図の（ロ）となるように制御を行う。
　また、入力画像処理部１０１のデジタル入力画像信号が第１１図の（ハ）の様にＡ／Ｄ変換器の最大入力レベルを上まわっている場合、増幅器１００ｇ，１００ｈ，１００ｉの増幅率を小さくすることにより、第１１図の（ロ）となるように制御する。
　以上のように、原稿読取りに先だって、白基準板を読取り、その出力信号がデジタル処理に適正なレベルとなる様に補正を行い、その補正パラメータを保持しておく。そして、原稿読取り時において、前述の処理により保持されている補正パラメータを用いて原稿画像の読取りにより出力されるアナログ画像信号のレベルを補正するものである。この様に、アナログ信号処理部１００において、Ａ／Ｄ変換する前のアナログビデオ信号レベルを制御することにより、量子化誤差なしに、光源の特性変化や温度変化によるＣＣＤの出力信号レベルの変化を補正可能である。」（６頁上右欄１８行〜７頁上右欄３行）
（５）「〔効果の説明〕
　上述のように本発明により光源の特性変化や温度変化によるＣＣＤの出力信号レベルの変化を量子化誤差なしに補正が可能であり、ダイナミックレンジの広い良質な画像読取りが可能である。」（８頁上右欄１６〜２０行）
　
　したがって、これらの記載事項より、刊行物１には、
「ハロゲンランプ１４にて露光された原稿又は補正エリア６８の白基準板の反射光がレンズ１５を通り、結像するとともに、赤、緑、青のフィルタが配置された複数の受光素子からなり、光電変換するＣＣＤ１６と、
　画像信号をタイミング制御部１００ａからのタイミング信号により、赤、緑、青各色の画像信号に分離するＳ／Ｈ回路１００ｄ，１００ｅ，１００ｆと、
　上記各色に分離された画像信号を、増幅する可変増幅器１００ｇ，１００ｈ，１００ｉと、
　可変増幅器で増幅された信号を、ダーククランプと、バッファアンプ１００ｐ，１００ｑ，１００ｒを介して入力して、デジタル信号に変換するＡ／Ｄコンバータ１００ｓ，１００ｔ，１００ｕと、
　Ａ／Ｄコンバータによりアナログ／デジタル変換が行われた信号をセットし、タイミング制御部１００ａからのタイミング信号によりシリアル多値として各色のデジタル画像信号を入力画像処理部１０１に出力するラッチ１００ｗ，１００ｘ，１００ｙと、
　ラッチ１００ｗ，１００ｘ，１００ｙの出力に応じて、アナログ信号処理部１００へ制御信号を送ることにより、タイミング制御部１００ａがＤ／Ａ変換器１００ｚを介して可変増幅器１００ｇ，１００ｈ，１００ｉの増幅率を制御する制御部１０２
　とを備えたことを特徴とするデジタル・カラー複写機、カラー・イメージ・スキャナ、カラー・プリンタ等に用いられる画像読取装置。」
の発明（以下、「刊行物１記載の発明」という。）が記載されていると認められる。
　
　（引用刊行物２）
　また、当審が通知した取消の理由に引用された、本願の出願日前である昭和６２年１２月２日に頒布された特開昭６２−２７７８４８号公報（以下、「引用刊行物２」という。）には、次の事項が記載されている。
（ａ）「２．特許請求の範囲
　画素信号がシリアルに出力されるカラーイメージセンサを有するカラー原稿読取装置において、
　前記イメージセンサに白基準板の光学像を結像させた時の前記色画素信号のレベルをあらかじめ定めた設定値と比較して補正値を得る手段と、
　前記補正手段により得られた補正値を記憶する記憶手段と、
　該記憶手段により記憶された補正値に従って前記色画素信号に同期した各色毎の増幅率を可変調整する増幅手段と
を備え、前記増幅手段から前記各色画素信号の出力を取り出すようにしたことを特徴とするカラー原稿読取装置。」（１頁下左欄４行〜最下行）
（ｂ）「〔産業上の利用分野〕
　本発明はカラー原稿読取装置に関し、特に、カラー原稿を読取った三原色の各色画素信号間の白バランスを適正にすることのできるカラー原稿読取装置に関するものである。」（１頁下右欄２〜６行）
（ｃ）「〔発明が解決しようとする問題点〕
　そこで、本発明の目的は、白色ランプの経時変化で光量が低下しても、ダイナミックレンジを低下させることなく、各Ｒ，Ｇ，Ｂ三原色の画素信号レベルを、それぞれ適正値に揃えることができると共に、回路の簡素化を図ったカラー原稿読取装置を提供することにある。」（２頁上右欄１１〜１７行）
（ｄ）「　第１図において、２０は白基準板、２１は原稿台、２２は白基準板２０または原稿台２１を照明する白色ランプである。白基準板２０または原稿台２１からの光出力をレンズ２３を介してカラーイメージセンサ２４に導く。
　２５は乗算型Ｄ／Ａコンバータであり、カラーイメージセンサ２４の出力Ｖ２１を供給される。２６はＤ／Ａコンバータ２５の出力Ｖ２２をデジタル信号に変換するＡ／Ｄコンバータである。
　２７Ｒ，２７Ｇ，２７Ｂはラッチ、２８は比較器　２９はタイミング制御部であり、比較器２８によりＡ／Ｄコンバータ２６の出力とあらかじめ定めた設定値とを比較し、その比較結果をタイミング制御部２９によるタイミング信号φ２３Ｒ，　φ２３Ｇ，　φ２３Ｂによりラッチ２７Ｒ，２７Ｇ，２７Ｂにラッチする。これらラッチ２７Ｒ，２７Ｇ，２７Ｂの出力をタイミング制御部２９からのタイミング信号φ２４Ｒ，　φ２４Ｇ，　φ２４Ｂにより取り出してＤ／Ａコンバータ２５に供給し、その増幅率をＲ，Ｇ，Ｂごとに適正に設定する。」（２頁下右欄１３行〜３頁上左欄１１行）
（ｅ）「　白色ランプ２２によって照明された白基準板２０の光学像は、レンズ２３を介して、カラーイメージセンサ２４に結像される。
　タイミング制御部２９から出力される駆動信号φ２１のタイミングで、カラーイメージセンサ２４から三原色Ｒ，Ｇ，Ｂの各色別に順次に色画素信号Ｖ２１が出力される。この色画素信号Ｖ２１は、ラッチ２７Ｒ，２７Ｇ，２７Ｂに設定された値に従った増幅率で、乗算型Ｄ／Ａコンバータ２５により増幅されアナログ出力Ｖ２２が得られる。
　ここで、まず、乗算型Ｄ／Ａコンバータ２５の増幅率が１となるようにラッチ２７Ｒ，２７Ｇ，２７Ｂに基準値を設定し、白基準板から読取られた信号Ｖ２２をＡ／Ｄ変換タイミングφ２２に同期して、Ａ／Ｄコンバータ２６によりデジタル値に変換する。
　このデジタル変換された値は所望する設定値と比較器２８により比較され、Ａ／Ｄコンバータ２６の出力が設定値と一致するように、デジタルデータをラッチ２７Ｒ，２７Ｇ，２７Ｂに送る。
　このデータはラッチタイミング信号φ２３Ｒ，　φ２３Ｇ，　φ２３Ｂにより、Ｒ色の画素信号データはラッチ２７Ｒ、Ｇ色の画素信号データはラッチ２７Ｇ、Ｂ色の画素信号データはラッチ２７Ｂに、それぞれ、保持される。」（３頁上左欄１４行〜上右欄１７行）
（ｆ）「　つぎに、カラー原稿を読み取るときには、駆動信号φ２１に同期して、カラーイメージセンサ２４から出力される信号Ｖ２１がＲ色の画素信号の場合には、イネーブル信号φ２４Ｒが”１”となり、ラッチ２７Ｒに保持されているデータが乗算型Ｄ／Ａコンバータ２５に入力される。
　そこで、乗算型Ｄ／Ａコンバータ２５は、ラッチ２７Ｒの値に従って信号Ｖ２１を増幅する。この増幅された信号Ｖ２２は次段のＡ／Ｄコンバータ２６でＡ／Ｄ変換され、所望のデジタル量となる。
　信号Ｖ２１がＧ色画素信号またはＢ色画素信号の場合にも、上記と同様に、ラッチ２７Ｇ，２７Ｂのそれぞれのデータにより、乗算型Ｄ／Ａコンバータ２５の増幅率を変化させてＡ／Ｄ変換後の値が設定値と一致するようにする。」（３頁上右欄１８行〜下左欄１２行）
（ｇ）「白色ランプの経時変化による光量低下に対し、ダイナミックレンジの悪化を招くことなく、各色の画素信号レベルを揃えることができる。」（３頁下右欄４〜７行）
　
３−３　対比
　本件発明と刊行物１記載の発明とを対比すると、
刊行物１記載の発明における「ＣＣＤ１６」は、本件発明に係る「光電変換手段」に、
刊行物１記載の発明における「可変増幅器１００ｇ，１００ｈ，１００ｉ」は、本件発明に係る「増幅手段」に、
刊行物１記載の発明における「Ａ／Ｄコンバータ１００ｓ，１００ｔ，１００ｕ」は、本件発明に係る「Ａ／Ｄ変換器」に、
刊行物１記載の発明における「制御部２」は、下記の相違点を除いて、本願発明に係る「制御部」それぞれ相当している。
　また、刊行物１の上述（４）（６頁上右欄１８行〜７頁上右欄３行）には、原稿を読み取る前に補正エリア６８の白基準板により、ラッチ１００ｗ，１００ｘ，１００ｙの出力が、Ａ／Ｄ変換器の最大入力レベル（Ｆ／Ｆ）を下まわっているか上まわっているかを測定し、可変増幅器１００ｇ，１００ｈ，１００ｉの増幅率を大きくあるいは小さくして、第１１図（ロ）となるように制御することが記載されているから、刊行物１には、下記の点では相違するが、一応、Ａ／Ｄ変換器の出力を測定する測定手段に相当するものが存在しているものと認められ、
　さらに、刊行物１の上述（１）（１頁下左欄１３〜１７行）には、「本発明は、画像をデジタル画像処理する装置、例えば、デジタル・カラー複写機、カラー・イメージ・スキャナ、カラー・プリンタ等に用いられる画像読取装置に関する。」と記載されているから、刊行物１に記載された発明はカラー画像読取装置である。
　よって、本件発明と刊行物１記載の発明とは、
「画像光を光電変換する光電変換手段と、
該光電変換手段からの信号を各色毎に増幅する増幅手段と、
該増幅手段によって増幅された信号をディジタル信号に変換するＡ／Ｄ変換器と、
該Ａ／Ｄ変換器の出力を測定する測定手段と、
該測定手段の測定結果に基づいて前記増幅手段の増幅率を制御する制御手段と
を具えたカラー画像読取装置。」
である点で一致し、次の点で相違している。
　
（相違点）
（相違点１）
　測定手段が、本件発明では、増幅手段のディジタルゲイン指令値を最大値から１ずつ小さくしながら各指令値に対応してＡ／Ｄ変換器から出力される各色のディジタル信号を測定し、該測定値に基づいて、光電変換手段、増幅手段及びＡ／Ｄ変換器の入出力特性を各色毎に求める測定手段であるのに対して、刊行物１のものは、ラッチ１００ｗ，１００ｘ，１００ｙの出力が制御部２に入力されているだけである点。
（相違点２）
　制御手段が、本件発明では、測定手段の測定結果に基づいてＡ／Ｄ変換器から出力される各色のディジタル信号のトータルゲインが等しくなるように増幅手段の増幅率を各色毎に制御するのに対して、刊行物１の制御部１０２は、ラッチ１００ｗ，１００ｘ，１００ｙの出力に応じて、アナログ信号処理部１００へ制御信号を送ることにより、タイミング制御部１００ａがＤ／Ａ変換器１００ｚを介して可変増幅器１００ｇ，１００ｈ，１００ｉの増幅率を制御する点。
　
３−４　判断
　上記相違点について検討する。
（１）相違点１について
　刊行物１の上述（４）には、
「　本実施例では、原稿を読取る前にまず補正エリア６８の白基準板の濃度を複写しようとする原稿の最も濃度が小さい値（例えば０．１）とし、この白基準板を読み取った時のバッファアンプ１００ｐ，１００ｑ，１００ｒの出力がＡ／Ｄ変換器１００ｓ，１００ｔ，１００ｕの最大入力レベル（基準電圧源１００ｖの出力電圧）となるように可変増幅器１００ｇ，１００ｈ，１００ｉの増幅率を可変設定する。
　第９図、第１０図、第１１図を用いて説明すると、アナログ信号処理部１００の出力（ラッチ１００ｗ，１００ｘ，１００ｙの出力）すなわち、入力画像処理部１０１のデジタル入力画像信号が第１１図の（イ）の様に、Ａ／Ｄ変換器の最大入力レベル（Ｆ／Ｆ）を下まわっている場合、制御部１０２はアナログ信号処理部１００へ制御信号を送ることにより、第１０図のタイミング制御部１００ａはＤ／Ａ変換器１００ｚを介し、可変増幅器１００ｇ，１００ｈ，１００ｉの増幅率を大きくし、ラッチ１００ｗ，１００ｘ，１００ｙの出力が第１１図の（ロ）となるように制御を行う。
　また、入力画像処理部１０１のデジタル入力画像信号が第１１図の（ハ）の様にＡ／Ｄ変換器の最大入力レベルを上まわっている場合、増幅器１００ｇ，１００ｈ，１００ｉの増幅率を小さくすることにより、第１１図の（ロ）となるように制御する。
　以上のように、原稿読取りに先だって、白基準板を読取り、その出力信号がデジタル処理に適正なレベルとなる様に補正を行い、その補正パラメータを保持しておく。そして、原稿読取り時において、前述の処理により保持されている補正パラメータを用いて原稿画像の読取りにより出力されるアナログ画像信号のレベルを補正するものである。この様に、アナログ信号処理部１００において、Ａ／Ｄ変換する前のアナログビデオ信号レベルを制御することにより、量子化誤差なしに、光源の特性変化や温度変化によるＣＣＤの出力信号レベルの変化を補正可能である。」との記載がある。
　ここで、ラッチ１００ｗ，１００ｘ，１００ｙの出力が、前段のＡ／Ｄ変換器の出力を単に保持したものであることは明白であり、このラッチ１００ｗ，１００ｘ，１００ｙの出力は、ＣＣＤ１６、可変増幅器１００ｇ，１００ｈ，１００ｉ、Ａ／Ｄコンバータ１００ｓ，１００ｔ，１００ｕの特性を含んだ出力値であり、ラッチ１００ｗ，１００ｘ，１００ｙも三色用に３つ設けられている。　
　このように、刊行物１のものにおいては、Ａ／Ｄ変換器の出力に基づいて、光電変換手段、増幅手段およびＡ／Ｄ変換器の入出力特性を各色毎に測定する測定手段は設けられている。
　しかし、刊行物１のものにおいて、増幅手段のディジタルゲイン指令値を最大値から１ずつ小さくしながら各指令値に対応してＡ／Ｄ変換器から出力される各色のディジタル信号を測定し、該測定値に基づいて、光電変換手段、増幅手段及びＡ／Ｄ変換器の入出力特性を各色毎に求める測定手段を設けることは刊行物１には記載されておらず、刊行物１の記載から当該測定手段が自明のことでもない。
　
　したがって、本件発明と刊行物１に記載された発明との他の相違点についての検討、判断を示すまでもなく、本件発明は、前記の刊行物１に記載された発明であるとすることはできないし、前記の刊行物１に記載された発明に基づいて当業者が容易に発明することができたものとすることもできない。
　
　さらに、本件発明と刊行物２に記載された発明とを比較しても、刊行物２には、測定手段として、本件発明のような、増幅手段のディジタルゲイン指令値を最大値から１ずつ小さくしながら各指令値に対応してＡ／Ｄ変換器から出力される各色のディジタル信号を測定し、該測定値に基づいて、光電変換手段、増幅手段及びＡ／Ｄ変換器の入出力特性を各色毎に求める測定手段が設けられていないから、上記の刊行物１と同様に、本件発明は、前記の刊行物２に記載された発明であるとすることはできなし、前記の刊行物２に記載された発明に基づいて当業者が容易に発明することができたものとすることもできない。
　
３−５　むすび
　以上のとおりであるから、特許異議申立の理由及び証拠によっては、本件発明を取り消すことはできない。
　また、他に本件発明についての特許を取り消すべき理由を発見しない。
　したがって、本件発明についての特許は拒絶の査定をしなければならない特許出願に対してされたものと認められない。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１２月２日（２００３．１２．２）
【訂正の要旨】
審決（決定）の【理由】欄参照。
（５４）【発明の名称】
カラー画像読取装置
（５７）【特許請求の範囲】
　【請求項１】　画像光を光電変換する光電変換手段と、
　該光電変換手段からの信号を各色毎に増幅する増幅手段と、
　該増幅手段によって増幅された信号をディジタル信号に変換するＡ／Ｄ変換器と、
　前記増幅手段のディジタルゲイン指令値を最大値から１ずつ小さくしながら各指令値に対応して前記Ａ／Ｄ変換器から出力される各色のディジタル信号を測定し、該測定値に基づいて、前記光電変換手段、前記増幅手段及び前記Ａ／Ｄ変換器の入出力特性を各色毎に求める測定手段と、
　該測定手段の測定結果に基づいて前記Ａ／Ｄ変換器から出力される各色のディジタル信号のトータルゲインが等しくなるように前記増幅手段の増幅率を各色毎に制御する制御手段と
を具えたことを特徴とするカラー画像読取装置。
【発明の詳細な説明】
　【産業上の利用分野】
　本発明はカラー画像読取装置に関する。
　【従来の技術】
　現在、カラー画像読取装置においては、フィルムプロジェクタ等からの画像を読み取る際、フィルム特性やハロゲンランプの色温度特性による色味の違いを補正するため、アナログ増幅器の増幅率を色毎に独立に変化させてカラーバランスをとるという手法が用いられている。
　この時、アナログ増幅器の増幅率はＣＰＵからディジタル値で指令値をＤ／Ａ変換器に与え、得られたアナログ信号によってアナログ増幅器のゲインを制御する。この場合、ディジタル指令値と最終的な（Ａ／Ｄ変換された）アナログ出力信号における増幅率は線形であるものとして制御を行っている。
　【発明が解決しようとする課題】
　上記従来例では、アナログ信号処理部、すなわち、Ｄ／Ａ変換器、アナログ増幅器の素子間のばらつきや温度変化の影響、Ｄ／Ａ特性のばらつき等が考慮されていなかった。そのため、同じアルゴリズムで色味補正制御を行っても画像に機体間差，時間差など不安定な要因が出てくる結果を招きがちであった。
　本発明は上記従来例に鑑み、アナログ信号処理部のばらつきや経時変化に関らず、常に安定した読取画像が得られるカラー画像読取装置を提供することを目的とする。
　【課題を解決するための手段】
　上記目的を達成するため、本発明においては、画像光を光電変換する光電変換手段と、該光電変換手段からの信号を各色毎に増幅する増幅手段と、該増幅手段によって増幅された信号をディジタル信号に変換するＡ／Ｄ変換器と、前記増幅手段のディジタルゲイン指令値を最大値から１ずつ小さくしながら各指令値に対応して前記Ａ／Ｄ変換器から出力される各色のディジタル信号を測定し、該測定値に基づいて、前記光電変換手段、前記増幅手段及び前記Ａ／Ｄ変換器の入出力特性を各色毎に求める測定手段と、該測定手段の測定結果に基づいて前記Ａ／Ｄ変換器から出力される各色のディジタル信号のトータルゲインが等しくなるように前記増幅手段の増幅率を各色毎に制御する制御手段とを具えたことを特徴とする。
　【作用】
　本発明によれば、上記構成によって、入出力特性の機体間差、経時変化に関らず一定色味の読取画像が得られるようになる。
　【実施例】
　以下、ディジタルカラー複写機を例にとって、本発明の１実施例を詳細に説明する。
＜ゲインテーブルの作成＞
　図１は本実施例の回路構成を示すブロック図である。図中１０１はＲ（レッド），Ｇ（グリーン），Ｂ（ブルー）三色の濃度が等しい標準グレー板、１０２はＣＣＤである。１０３〜１０５はアナログ可変倍率増幅器、１０６はＡ／Ｄ変換器である。１０７は３色信号値から増幅率を演算するＣＰＵ、１０８はＤ／Ａ変換器である。
　１０９は画像処理部であり、１１０〜１１２の光量−濃度変換部、１１３のＵＣＲ／マスキング部、１１４のプリンタ特性補正部から構成されている。１１５はプリンタ、１１６はＲＡＭである。
　この構成を用いて、ＣＰＵ１０７からのディジタルゲイン指令値Ｄｂ，Ｄｇ，Ｄｒの変化とＡ／Ｄ変換器１０６の出力のディジタル画像信号Ｂ′，Ｇ′，Ｒ′の変化との入出力特性を測定する作業を図２に示す。
　図示しないハロゲンランプにより標準グレー板１０１を照射して、反射光をＣＣＤ１０２により検出し、アナログ光量信号Ｒ０，Ｇ０，Ｂ０を出力する。この時ＣＰＵ１０７において各色ともゲイン指令値Ｋとして、ゲインを最大値（この場合６ビットとして６３）に設定しておき（Ｓ１）、これに対応したアナログ増幅率Ａｒ，Ａｇ，Ａｂでアナログ可変倍率増幅器１０３〜１０５によってＢ０，Ｇ０，Ｒ０を増幅し、Ａ／Ｄ変換器１０６でＡ／Ｄ変換した出力信号をＣＰＵ１０７によってＣＣＤ中心の１２８画素にあたる分だけ平均して、平均明信号Ｗｂ，Ｗｇ，Ｗｒとする（Ｓ２）。次にゲイン指令値はそのままでハロゲンランプをＯＦＦにし、画像信号が「黒」に対応した値になる状態で同じようにＣＣＤ中心１２８画素分のＡ／Ｄ変換器１０６からの出力信号を平均して平均暗信号Ｂｒ，Ｂｇ，Ｂｂとする（Ｓ３）。
　これらの測定値より、Ｒ，Ｇ，Ｂ３色で標準濃度を示す光量が入力され、ディジタルゲイン指令値が６３であった時の各出力値は、
　　ＴＢＬＢ［６３］＝Ｗｂ［６３］−Ｂｂ［６３］
　　ＴＢＬＧ［６３］＝Ｗｇ［６３］−Ｂｇ［６３］
　　ＴＢＬＲ［６３］＝Ｗｒ［６３］−Ｂｒ［６３］
で表される。この値をＲＡＭ１１６に格納しておく（Ｓ４）。
　以上の手順を、ゲイン指令値Ｋに１ずつ小さくして０になるまで繰り返すことにより（Ｓ５，Ｓ６）、ディジタルゲイン−ディジタル出力間の入出力特性を表すテーブルＴＢＬＢ［Ｋ］，ＴＢＬＧ［Ｋ］，ＴＢＬＲ［Ｋ］がそれぞれ作成されることになる。作成されたテーブルの一例を図３に示す。
　このゲインテーブルの内容は、Ｄ／Ａ，Ａ／Ｄやアナログ回路の固体差により異なり、また温度特性などの影響による時間的な変化も考えられる。そこで、複写機本体の電源を入れ、ウォームアップが終了した時点で図２に示したアルゴリズムを実行し、テーブルを作成する。
＜テーブルを用いた制御例＞
　図４は、本実施例装置によってフィルムプロジェクタからのネガフィルムの画像を読み取る場合の色味補正アルゴリズムの概略図である。初めに初期光量、初期アンプゲインで投影された画像をプリスキャンし、各画素のＲ，Ｇ，Ｂ画像信号値をサンプリングして信号の大きさ（輝度）を基準とするヒストグラムを作る（Ｓ１１）。次に、サンプリングされたＮ個のデータについて、輝度信号を濃度に変換して平均濃度を求める（Ｓ１２）。たとえばＲ（レッド）からＣ（シアン）の平均濃度を求める式は次の通りである。
　【数１】
　ここでＮｉは輝度ｉの画素の数、Ｌｏｇ［ｉ］は輝度ｉを濃度信号に変換した値である。Ｇ（グリーン）からＭ（マゼンタ），Ｂ（ブルー）からＹ（イエロー）の平均濃度も全く同様にして算出される。
　【数２】
　銀塩写真におけるエヴァンスの定理によれば、画像の濃度は全部混ぜあわせるとグレーになる。そこで、トータルゲインが
となるようにプロジェクタのハロゲンランプ光量、アンプ（アナログ可変倍率増幅器）のゲインを以下のように制御する。初期光量、初期アンプゲインで（２）式により求められた初期状態のトータルゲインを
とすると、アンプゲインを調節した後のトータルゲイン
ｍｐｂはそれぞれディジタルランプ指令値に対するランプ出力光量のテーブルであり、Ｌは最終光量、Ｌ０は初期光量である。ＴＢＬＲ，ＴＢＬＧ，ＴＢＬＢは、図２のようにしてあらかじめ測定されたゲイン特性テーブルであり、Ｄｒ，Ｄｇ，Ｄｂは、それぞれの最終アンプゲイン、Ｄ０ｒ，Ｄ０ｇ，Ｄ０ｂは、初期アンプゲインである。
　ここで、
の条件を満たすように、ランプの光量ＬとアンプのゲインＤｒ，Ｄｇ，Ｄｂを制御すればよい。
　ＣＰＵ１０７は、（３）式を満たすような［Ｌ，Ｄｒ，Ｄｇ，Ｄｂ］の組み合わせを演算により求め、その中から画像のＳ／Ｎを考慮してランプの光量Ｌが最大になるような組み合わせを選択する（Ｓ１４）。ついでコピー動作に入る（Ｓ１５）。
　このようにカラーバランスを制御するうえで、各機械間差、時間差に即して自動的にテーブルＴＢＬＢ，ＴＢＬＧ，ＴＢＬＲを作成し、これに基づいてランプ光量，ランプゲインを制御することにより、色味を一定にすることができる。
［他の実施例］
　上記実施例では電源をオンする度にゲインテーブルの測定・書き換えを行っている。しかし反射原稿では一般に増幅器のゲインは一定に保たれていることを考えると、毎回のゲインテーブルの書き換えにより反射原稿ゲイン値に対応するテーブル出力値が変化し、カラーバランスが電源オフ・オンのたびに少しずつ異なってしまうことも考えられる。
　そこで、ゲインの制御を必要とするプロジェクタ色味補正に際しては、その日の最初に使用する時のみゲインテーブルの測定・書き換えを行い、反射原稿に対してはゲインテーブルを通さずに常に一定値で信号が増幅されるようにする。こうすると、反射原稿で毎日原稿の色味が変化することなく、ゲインを動かす際の特性のみを設定することができる。
　【発明の効果】
　以上のように、本発明によれば入出力特性の機体間差、経時変化に関らず一定色味の読取画像を得ることができる。
【図面の簡単な説明】
　【図１】
　本発明の実施例のブロック図である。
　【図２】
　ゲイン入出力特性測定のアルゴリズムを示す図である。
　【図３】
　作成されたゲインテーブルの一例を示す図である。
　【図４】
　テーブルを用いたプロジェクタネガ色味補正アルゴリズムを示す図である。
　【符号の説明】
　１０１　標準グレー板
　１０２　ＣＣＤ
　１０３〜１０５　アナログ可変倍率増幅器
　１０６　Ａ／Ｄコンバータ
　１０７　ＣＰＵ
　１０８　Ｄ／Ａコンバータ
　１０９　画像処理部
　１１０〜１１２　光量−濃度変換部
　１１３　ＵＣＲ／マスキング部
　１１４　プリンタ特性補正部
　１１５　プリンタ
　１１６　ＲＡＭ